(57)【要約】【課題】各広告にその広告を掲載するウェブページを適切かつ簡単に割り当てる。【解決手段】広告情報管理サーバ２０が、掲載を希望するウェブページのジャンルが対応付けされたカレンダ情報を記憶するカレンダ情報管理ＤＢ２１を備え、広告ＩＤを提示したカレンダ提供要求に応じて、カレンダ情報を参照し、提示された広告ＩＤが示す広告について各日付毎の掲載の可否を認識可能なカレンダを作成して提供し、提供したカレンダにおいて選択された日付を受け付けたことに応じて、カレンダ情報を参照し、対応付けされているジャンルが合致するウェブページを探索することで、受け付けた日付に広告を掲載するウェブページの候補を示す掲載ページ候補を決定し、決定した掲載ページ候補の中から、掲載するウェブページの選択を受け付け、選択を受け付けた掲載ページ候補を掲載ページとしてカレンダにおいて選択された日付に対応付けしてカレンダ情報を更新する。【選択図】図７
2010250481.tif 000002
【特許請求の範囲】
【請求項１】
ユーザが管理するユーザ端末からの依頼に応じてウェブページを提供するウェブページ提供サーバと、ウェブページに掲載される広告を示す広告情報を含む広告関連情報を管理する広告情報管理サーバとを備えた情報提供システムであって、
前記広告情報管理サーバは、
ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、
前記ウェブページ提供サーバからの掲載ページ情報を提示した広告情報の取得要求に応じて、前記カレンダ情報を参照し、提示された掲載ページ情報が対応付けされている広告を探索し、探索した広告の広告情報を前記ウェブページ提供サーバに送信する広告情報探索手段と、
広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供手段と、
提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定手段と、
決定した掲載ページ候補の中から、掲載するウェブページの選択を受け付ける掲載ページ選択受付手段と、
選択を受け付けた掲載ページ候補を掲載ページとしてカレンダにおいて選択された日付に対応付けしてカレンダ情報を更新するカレンダ情報更新手段とを含み、
前記ウェブページ提供サーバは、
ウェブページに掲載するウェブページ掲載情報と、該ウェブページのジャンルとが対応付けされたウェブページ情報が記憶されたウェブページ記憶手段と、
前記ユーザ端末からのウェブページ提供依頼を受けたことに応じて、前記広告情報管理サーバから掲載する広告の広告情報を取得する広告情報取得手段と、
取得した広告情報を貼り付けたウェブページを前記ユーザ端末に提供するウェブページ提供手段とを含む
ことを特徴とする情報提供システム。
【請求項２】
前記掲載ページ候補決定手段は、前記ウェブページ提供サーバからカレンダ情報において対応付けされているジャンルのウェブページを特定可能なページ情報を取得することで、ウェブページを探索する
請求項１記載の情報提供システム。
【請求項３】
前記広告情報管理サーバは、提供したカレンダにおいて選択されたことにより受け付けた日付が過去の日付である場合に、カレンダ情報を参照し、受け付けた日付の掲載履歴情報を表示した掲載履歴閲覧画面を生成して提供する掲載履歴閲覧画面提供手段を含み、
前記掲載ページ候補決定手段は、受け付けた日付が過去の日付でないときに限り、掲載ページ候補を決定する
請求項１または請求項２記載の情報提供システム。
【請求項４】
前記広告情報管理サーバは、提供したカレンダにおいて選択されたことにより受け付けた日付が過去の日付でなく、受け付けた日付の掲載ページ情報が設定されていた場合に、設定されている掲載ページ情報を表示した設定情報閲覧画面を生成して提供する設定情報閲覧画面提供手段を含み、
前記掲載ページ候補決定手段は、受け付けた日付が過去の日付でなく、かつ受け付けた日付の掲載ページ情報が設定されていないときに限り、掲載ページ候補を決定する
請求項１から請求項３のうちいずれかに記載の情報提供システム。
【請求項５】
前記カレンダ提供手段は、前記広告情報管理サーバを管理する管理者からのカレンダ提供要求に応じてカレンダを提供する
請求項１から請求項４のうちいずれかに記載の情報提供システム。
【請求項６】
ユーザが管理するユーザ端末からの依頼に応じてウェブページを提供し、ウェブページに掲載される広告を示す広告情報を含む広告関連情報を管理する情報提供サーバであって、
ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、
ウェブページに掲載するウェブページ掲載情報と、該ウェブページのジャンルとが対応付けされたウェブページ情報が記憶されたウェブページ記憶手段と、
前記ユーザ端末からの掲載ページ情報を提示したウェブページ提供依頼を受けたことに応じて、前記カレンダ情報を参照し、提示された掲載ページ情報が対応付けされている広告を探索する広告情報探索手段と、
探索した広告の広告情報を貼り付けたウェブページを前記ユーザ端末に提供するウェブページ提供手段と、
広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供手段と、
提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定手段と、
決定した掲載ページ候補の中から、掲載するウェブページの選択を受け付ける掲載ページ選択受付手段と、
選択を受け付けた掲載ページ候補を掲載ページとしてカレンダにおいて選択された日付に対応付けしてカレンダ情報を更新するカレンダ情報更新手段とを含む
ことを特徴とする情報提供サーバ。
【請求項７】
前記掲載ページ候補決定手段は、前記ウェブページ情報を参照し、カレンダ情報において対応付けされているジャンルのウェブページを特定可能なページ情報を探索することで、ウェブページを探索する
請求項６記載の情報提供サーバ。
【請求項８】
提供したカレンダにおいて選択されたことにより受け付けた日付が過去の日付である場合に、カレンダ情報を参照し、受け付けた日付の掲載履歴情報を表示した掲載履歴閲覧画面を生成して提供する掲載履歴閲覧画面提供手段を含み、
前記掲載ページ候補決定手段は、受け付けた日付が過去の日付でないときに限り、掲載ページ候補を決定する
請求項６または請求項７記載の情報提供サーバ。
【請求項９】
提供したカレンダにおいて選択されたことにより受け付けた日付が過去の日付でなく、受け付けた日付の掲載ページ情報が設定されていた場合に、設定されている掲載ページ情報を表示した設定情報閲覧画面を生成して提供する設定情報閲覧画面提供手段を含み、
前記掲載ページ候補決定手段は、受け付けた日付が過去の日付でなく、かつ受け付けた日付の掲載ページ情報が設定されていないときに限り、掲載ページ候補を決定する
請求項６から請求項８のうちいずれかに記載の情報提供サーバ。
【請求項１０】
前記カレンダ提供手段は、システムを管理する管理者からのカレンダ提供要求に応じてカレンダを提供する
請求項６から請求項９のうちいずれかに記載の情報提供サーバ。
【請求項１１】
ユーザが管理するユーザ端末からの依頼に応じてウェブページを提供し、ウェブページに掲載される広告を示す広告情報を含む広告関連情報を管理するための処理を実行させる情報提供プログラムであって、
ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、ウェブページに掲載するウェブページ掲載情報と、該ウェブページのジャンルとが対応付けされたウェブページ情報が記憶されたウェブページ記憶手段とを備えたコンピュータに、
前記ユーザ端末からの掲載ページ情報を提示したウェブページ提供依頼を受けたことに応じて、前記カレンダ情報を参照し、提示された掲載ページ情報が対応付けされている広告を探索する広告情報探索処理と、
探索した広告の広告情報を貼り付けたウェブページを前記ユーザ端末に提供するウェブページ提供処理と、
広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供処理と、
提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定処理と、
決定した掲載ページ候補の中から、掲載するウェブページの選択を受け付ける掲載ページ選択受付処理と、
選択を受け付けた掲載ページ候補を掲載ページとしてカレンダにおいて選択された日付に対応付けしてカレンダ情報を更新するカレンダ情報更新処理とを
実行させるための情報提供プログラム。
【請求項１２】
前記掲載ページ候補決定処理では、前記ウェブページ情報を参照し、カレンダ情報において対応付けされているジャンルのウェブページを特定可能なページ情報を探索することで、ウェブページを探索する処理を
実行させる請求項１１記載の情報提供プログラム。
【請求項１３】
コンピュータに、
さらに、提供したカレンダにおいて選択されたことにより受け付けた日付が過去の日付である場合に、カレンダ情報を参照し、受け付けた日付の掲載履歴情報を表示した掲載履歴閲覧画面を生成して提供する掲載履歴閲覧画面提供処理を実行させ、
前記掲載ページ候補決定処理では、受け付けた日付が過去の日付でないときに限り、掲載ページ候補を決定する処理を
実行させる請求項１１または請求項１２記載の情報提供プログラム。
【請求項１４】
コンピュータに、
さらに、提供したカレンダにおいて選択されたことにより受け付けた日付が過去の日付でなく、受け付けた日付の掲載ページ情報が設定されていた場合に、設定されている掲載ページ情報を表示した設定情報閲覧画面を生成して提供する設定情報閲覧画面提供処理を実行させ、
前記掲載ページ候補決定処理では、受け付けた日付が過去の日付でなく、かつ受け付けた日付の掲載ページ情報が設定されていないときに限り、掲載ページ候補を決定する処理を
実行させる請求項１１から請求項１３のうちいずれかに記載の情報提供プログラム。
【請求項１５】
前記カレンダ提供処理では、システムを管理する管理者からのカレンダ提供要求に応じてカレンダを提供する処理を
実行させる請求項１１から請求項１４のうちいずれかに記載の情報提供プログラム。
【発明の詳細な説明】
【技術分野】
【０００１】
本発明は、ユーザが管理するユーザ端末からの依頼に応じてウェブページを提供するウェブページ提供サーバと、ウェブページに掲載される広告を示す広告情報を含む広告関連情報を管理する広告情報管理サーバとを備えた情報提供システム、そのシステムを構成する情報提供サーバ、及び情報提供プログラムに関する。
【背景技術】
【０００２】
従来から、通信ネットワーク上のウェブサイトにおいて様々なサービスが提供されるようになってきており、ウェブサイトにおける会員専用ページを意味するマイページを提供可能なシステムが各種提案されている（例えば、特許文献１−２参照）。
【先行技術文献】
【特許文献】
【０００３】
【特許文献１】特開２００７−４８１６５号公報
【特許文献２】特開２００７−１６４７１６号公報
【発明の概要】
【発明が解決しようとする課題】
【０００４】
上述したマイページなどのウェブページに広告を掲載する場合、広告主が希望するウェブページに広告を掲載することが望ましいが、管理されているウェブページの数や種類が膨大である場合には、各広告にその広告を掲載するウェブページを適切かつ簡単に割り当てることが困難であるという問題があった。
【０００５】
本発明は、上述した問題を解消し、各広告にその広告を掲載するウェブページを適切かつ簡単に割り当てることができるようにすることを目的とする。
【課題を解決するための手段】
【０００６】
本発明の情報提供システムは、ユーザが管理するユーザ端末からの依頼に応じてウェブページを提供するウェブページ提供サーバと、ウェブページに掲載される広告を示す広告情報を含む広告関連情報を管理する広告情報管理サーバとを備えた情報提供システムであって、前記広告情報管理サーバは、ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、前記ウェブページ提供サーバからの掲載ページ情報を提示した広告情報の取得要求に応じて、前記カレンダ情報を参照し、提示された掲載ページ情報が対応付けされている広告を探索し、探索した広告の広告情報を前記ウェブページ提供サーバに送信する広告情報探索手段と、広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供手段と、提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定手段と、決定した掲載ページ候補の中から、掲載するウェブページの選択を受け付ける掲載ページ選択受付手段と、選択を受け付けた掲載ページ候補を掲載ページとしてカレンダにおいて選択された日付に対応付けしてカレンダ情報を更新するカレンダ情報更新手段とを含み、前記ウェブページ提供サーバは、ウェブページに掲載するウェブページ掲載情報と、該ウェブページのジャンルとが対応付けされたウェブページ情報が記憶されたウェブページ記憶手段と、前記ユーザ端末からのウェブページ提供依頼を受けたことに応じて、前記広告情報管理サーバから掲載する広告の広告情報を取得する広告情報取得手段と、取得した広告情報を貼り付けたウェブページを前記ユーザ端末に提供するウェブページ提供手段とを含むことを特徴とする。
【０００７】
上記の構成としたことで、各広告にその広告を掲載するウェブページを適切かつ簡単に割り当てることができるようになる。
【０００８】
前記掲載ページ候補決定手段は、前記ウェブページ提供サーバからカレンダ情報において対応付けされているジャンルのウェブページを特定可能なページ情報を取得することで、ウェブページを探索する構成とされていてもよい。
【０００９】
前記広告情報管理サーバは、提供したカレンダにおいて選択されたことにより受け付けた日付が過去の日付である場合に、カレンダ情報を参照し、受け付けた日付の掲載履歴情報を表示した掲載履歴閲覧画面を生成して提供する掲載履歴閲覧画面提供手段を含み、前記掲載ページ候補決定手段は、受け付けた日付が過去の日付でないときに限り、掲載ページ候補を決定する構成とされていてもよい。
【００１０】
前記広告情報管理サーバは、提供したカレンダにおいて選択されたことにより受け付けた日付が過去の日付でなく、受け付けた日付の掲載ページ情報が設定されていた場合に、設定されている掲載ページ情報を表示した設定情報閲覧画面を生成して提供する設定情報閲覧画面提供手段を含み、前記掲載ページ候補決定手段は、受け付けた日付が過去の日付でなく、かつ受け付けた日付の掲載ページ情報が設定されていないときに限り、掲載ページ候補を決定する構成とされていてもよい。
【００１１】
前記カレンダ提供手段は、前記広告情報管理サーバを管理する管理者からのカレンダ提供要求に応じてカレンダを提供する構成とされていてもよい。
【００１２】
また、本発明の情報提供サーバは、ユーザが管理するユーザ端末からの依頼に応じてウェブページを提供し、ウェブページに掲載される広告を示す広告情報を含む広告関連情報を管理する情報提供サーバであって、ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、ウェブページに掲載するウェブページ掲載情報と、該ウェブページのジャンルとが対応付けされたウェブページ情報が記憶されたウェブページ記憶手段と、前記ユーザ端末からの掲載ページ情報を提示したウェブページ提供依頼を受けたことに応じて、前記カレンダ情報を参照し、提示された掲載ページ情報が対応付けされている広告を探索する広告情報探索手段と、探索した広告の広告情報を貼り付けたウェブページを前記ユーザ端末に提供するウェブページ提供手段と、広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供手段と、提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定手段と、決定した掲載ページ候補の中から、掲載するウェブページの選択を受け付ける掲載ページ選択受付手段と、選択を受け付けた掲載ページ候補を掲載ページとしてカレンダにおいて選択された日付に対応付けしてカレンダ情報を更新するカレンダ情報更新手段とを含むことを特徴とする。
【００１３】
さらに、本発明の情報提供プログラムは、ユーザが管理するユーザ端末からの依頼に応じてウェブページを提供し、ウェブページに掲載される広告を示す広告情報を含む広告関連情報を管理するための処理を実行させる情報提供プログラムであって、ウェブページに掲載される各広告について、日付毎に、掲載の可否と、掲載するウェブページを示す掲載ページを特定可能な掲載ページ情報と、ウェブページへの掲載履歴を示す掲載履歴情報とが対応付けされ、さらに掲載を希望するウェブページのジャンルが対応付けされたカレンダ情報を記憶するカレンダ情報記憶手段と、ウェブページに掲載するウェブページ掲載情報と、該ウェブページのジャンルとが対応付けされたウェブページ情報が記憶されたウェブページ記憶手段とを備えたコンピュータに、前記ユーザ端末からの掲載ページ情報を提示したウェブページ提供依頼を受けたことに応じて、前記カレンダ情報を参照し、提示された掲載ページ情報が対応付けされている広告を探索する広告情報探索処理と、探索した広告の広告情報を貼り付けたウェブページを前記ユーザ端末に提供するウェブページ提供処理と、広告を一意に特定可能な広告ＩＤを提示したカレンダ提供要求に応じて、前記カレンダ情報を参照し、提示された広告ＩＤが示す広告について各日付毎の掲載の可否を認識可能なカレンダを作成して提供するカレンダ提供処理と、提供したカレンダにおいて選択された日付を受け付けたことに応じて、前記カレンダ情報を参照し、対応付けされているジャンルが合致するウェブページを探索することで、受け付けた日付に広告を掲載するウェブページの候補を示す掲載ページ候補を決定する掲載ページ候補決定処理と、決定した掲載ページ候補の中から、掲載するウェブページの選択を受け付ける掲載ページ選択受付処理と、選択を受け付けた掲載ページ候補を掲載ページとしてカレンダにおいて選択された日付に対応付けしてカレンダ情報を更新するカレンダ情報更新処理とを実行させるためのものである。
【発明の効果】
【００１４】
本発明によれば、各広告にその広告を掲載するウェブページを適切かつ簡単に割り当てることができるようになる。
【図面の簡単な説明】
【００１５】
【図１】本発明の一実施の形態における情報提供システムの構成の例を示すブロック図である。
【図２】ウェブページ情報の例を示す説明図である。
【図３】広告関連情報の例を示す説明図である。
【図４】カレンダ情報の例を示す説明図である。
【図５】情報提供処理の例を示すフローチャートである。
【図６】ウェブページ閲覧画面の例を示す説明図である。
【図７】カレンダ閲覧／設定処理の例を示すフローチャートである。
【図８】カレンダ表示画面の例を示す説明図である。
【図９】掲載履歴閲覧画面の例を示す説明図である。
【図１０】設定情報閲覧画面の例を示す説明図である。
【図１１】掲載ページ選択画面の例を示す説明図である。
【発明を実施するための形態】
【００１６】
以下、本発明の一実施の形態について図面を参照して説明する。
図１は、本発明の一実施の形態に係る情報提供システム１００の構成の例を示すブロック図である。図１に示すように、情報提供システム１００は、ウェブページ提供サーバ１０と、広告情報管理サーバ２０と、ユーザ端末４１〜４Ｎ（Ｎ：任意の正の整数）とを含む。ウェブページ提供サーバ１０、広告情報管理サーバ２０、およびユーザ端末４１〜４Ｎは、それぞれ、例えばインターネットなどの通信ネットワーク５０に接続されている。
【００１７】
ウェブページ提供サーバ１０、および広告情報管理サーバ２０は、それぞれ、ＷＷＷサーバなどの情報処理装置によって構成される。また、ユーザ端末４１〜４Ｎは、それぞれ、パーソナルコンピュータなどの情報処理装置によって構成される。なお、ウェブページ提供サーバ１０と広告情報管理サーバ２０とが一つのサーバ装置（情報提供サーバ）で構成されていてもよい。
【００１８】
ウェブページ提供サーバ１０は、例えば情報提供システム１００のシステム管理者によって管理されるサーバであり、ユーザ端末４１〜４Ｎからの閲覧要求に応じてウェブページを提供する機能などの各種の機能を有する。
【００１９】
ウェブページ提供サーバ１０は、本システム１００の登録会員にそれぞれ付与されているウェブページ（以下、「マイページ」という。）を管理し、登録会員からの要求に応じてその登録会員のマイページを提供する機能を有する。各「マイページ」は、個人やメーカーなどの団体によって管理される。ウェブページ提供サーバ１０は、マイページに関する各種の情報を示すウェブページ情報が格納されるウェブページ情報管理ＤＢ１１を備えている。なお、ウェブページ情報管理ＤＢ１１は、ウェブページ提供サーバ１０の内部にあっても外部にあってもよい。
【００２０】
広告情報管理サーバ２０は、例えば情報提供システム１００のシステム管理者によって管理されるサーバであり、広告主によって作成等されて登録された広告情報を管理する機能などの各種の機能を有する。広告情報管理サーバ２０は、後述するカレンダ情報が格納されるカレンダ情報管理ＤＢ２１と、広告関連情報が格納される広告関連情報管理ＤＢ２２とを備えている。なお、カレンダ情報管理ＤＢ２１および広告関連情報管理ＤＢ２２は、それぞれ、広告情報管理サーバ２０の内部にあっても外部にあってもよい。
【００２１】
ユーザ端末４１〜４Ｎは、それぞれ、本システム１００を利用するユーザによって管理される。ユーザ端末４１〜４Ｎを管理する各ユーザのうち一部または全部は、それぞれ、本システム１００に会員登録をしており、マイページが付与されているものとする。
【００２２】
図２は、ウェブページ提供サーバ１０が備えるウェブページ情報管理ＤＢ１１に格納されるウェブページ情報の例を示す説明図である。図２に示すように、ウェブページ情報は、該当するマイページが付与されているユーザのユーザ名と、そのユーザに割り当てられているユーザＩＤと、１又は２以上のジャンルと、該当ページを特定可能なページ情報（例えばＵＲＬ）と、ページ掲載情報と、広告掲載領域情報とを含む。ジャンルは、該当するマイページに掲載されている情報内容のカテゴリを示すものであり、具体的には、菓子類（菓子に関する情報が掲載されている場合）、野菜類（野菜に関する情報が掲載されている場合）、日用品類（日用品そのものや日曜大工などの情報が掲載されている場合）などが該当する。ページ掲載情報は、例えばＨＴＭＬ（HyperText Markup Language）やＸＭＬ（Extensible Markup Language）などのマークアップ言語によって作成された情報であって、該当するマイページに掲載されている情報の内容や、その掲載形式を含む情報である。広告掲載領域情報は、該当するマイページのうち、広告を掲載する領域を示す情報を意味する。
【００２３】
図３は、広告関連情報管理サーバ２０が備える広告情報管理ＤＢ２２に格納される広告関連情報の例を示す説明図である。図３に示すように、広告関連情報は、広告主の名称を示す広告主名と、該当する広告のＩＤを示す広告ＩＤと、掲載対象となる広告を示す広告情報と、該当する広告の掲載サイズと、該当する広告の掲載希望時期（希望日、希望時間など）を示す掲載希望時期情報と、該当する広告を掲載（する上限回数（例えば、各掲載日毎の上限回数）を示す掲載上限回数情報と、広告の掲載に関する履歴を示す掲載履歴情報とが対応付けされた情報である。なお、掲載上限回数情報が示す回数は、正確には、広告として掲載されるバナーをユーザが選択する回数として許容する上限回数である。本システム１００では、ユーザが広告を選択（クリック）した回数に応じて広告料が発生するものとする。
【００２４】
図４は、広告関連情報管理サーバ２０が備えるカレンダ情報管理ＤＢ２１に格納されるカレンダ情報の例を示す説明図である。図４では、広告主Ａの広告Ａについてのカレンダ情報が示されている。図４に示すように、カレンダ情報は、広告主名と、広告ＩＤと、該当する広告の掲載を希望するウェブページのジャンルを示す掲載希望ジャンルと、広告を掲載するウェブページとして設定されたウェブページを示す掲載ページ情報と、掲載希望時期情報と、日付と、各日付に対応する掲載上限回数情報、及び掲載履歴情報とが対応付けされた情報である。
【００２５】
次に、本例の情報提供システム１００の動作について説明する。
図５は、本例の情報提供システム１００における情報提供処理の例を示すフローチャートである。ここでは、ユーザＡが管理するユーザ端末４１からの要求に応じて広告情報が掲載されたウェブページ（マイページ）を提供する場合を例に説明する。
【００２６】
情報提供処理において、先ず、ウェブページ提供サーバ２０は、ユーザ端末４１からの該当するマイページのＵＲＬを提示したマイページ提供要求を受信すると（ステップＳ１０１）、ＵＲＬを提示したマイページ提供要求を受けた旨を広告情報管理サーバ２０に通知する（ステップＳ１０２）。
【００２７】
広告情報管理サーバ２０は、ＵＲＬを提示したマイページ提供要求を受けた旨の通知を受けると、各広告のカレンダ情報を参照して、各広告のうち、現在の日付（あるいは時間）についての掲載希望ページ情報が示すウェブページ（具体的にはＵＲＬ）に提示されたＵＲＬが含まれており、かつ掲載履歴情報が示す選択回数が掲載上限回数情報が示す上限回数未満（現実的には、上限回数の９割未満などが望ましい）である広告を探索する（ステップＳ２０１）。なお、ステップＳ２０１では、該当するウェブページの広告掲載領域に掲載可能な数の広告を探索する。
【００２８】
掲載する広告を探索すると、広告情報管理サーバ２０は、探索した広告の広告情報をウェブページ提供サーバ１０に送信する（ステップＳ２０２）。そして、広告情報管理サーバ２０は、送信した広告情報に対応する掲載履歴情報（具体的には掲載回数）を更新する（ステップＳ２０３）。具体的には、掲載履歴情報における広告の掲載回数を１加算する処理を行う。なお、ステップＳ２０３では、広告関連情報に含まれている掲載履歴情報と、カレンダ情報に含まれている掲載履歴情報とが更新される。
【００２９】
広告情報を受信すると、ウェブページ提供サーバ１０は、受信した広告情報が示す広告をステップＳ１０１にて提示されたＵＲＬのウェブページの広告掲載領域に貼り付け（ステップＳ１０３）、貼り付けた広告の広告ＩＤとともに広告を貼り付けたウェブページをユーザ端末４１に提供する（ステップＳ１０４）。
【００３０】
ユーザ端末４１は、ウェブページ提供サーバ１０から受信したウェブページを自己が備える表示装置に表示する。図６は、ウェブページが表示されたウェブページ閲覧画面の例を示す説明図である。図６に示すように、ウェブページ閲覧画面には、ウェブページの内容が掲載される表示領域１０１と、広告が掲載される表示領域１０２と、終了ボタン１０３とを含む各種の領域が設けられている。本例では、広告はバナー広告であり、表示領域１０２に掲載されている広告を選択（例えばマウスクリックによる選択）すると、広告の詳細ページにアクセスするようになっているものとする。
【００３１】
ユーザ端末４１は、ユーザＡによる入力装置（例えばマウス）の操作により広告が選択されると、選択された広告の詳細ページにアクセスするとともに、選択された広告の広告ＩＤを提示してその広告が選択された旨を示す広告選択通知をウェブページ提供サーバ１０に送信する。
【００３２】
ウェブページ提供サーバ１０は、広告選択通知を受信すると（ステップＳ１０５のＹ）、提示された広告ＩＤを含む広告選択通知を広告情報管理サーバ２０に転送する（ステップＳ１０６）。
【００３３】
ウェブページ提供サーバ１０からの広告選択通知を受信すると、広告情報管理サーバ２０は、提示された広告ＩＤに対応付けされている現在の日付の掲載履歴情報（具体的には選択回数）を更新する（ステップＳ２０４）。具体的には、掲載履歴情報における広告の選択回数（ユーザに選択された回数）を１加算する処理を行う。なお、ステップＳ２０４では、広告関連情報に含まれている掲載履歴情報と、カレンダ情報に含まれている掲載履歴情報とが更新される。
【００３４】
そして、ユーザ端末４１からウェブページ閲覧画面にて終了ボタン１０３が押下された旨の通知を受けると（ステップＳ１０７のＹ）、ウェブページ提供サーバ１０は、ここでの処理を終了する。
【００３５】
図７は、本例の情報提供システム１００におけるカレンダ閲覧／設定処理の例を示すフローチャートである。ここでは、本システム１００のシステム管理者が管理する図示しない管理者端末Ｘ（例えばパーソナルコンピュータなどの情報処理装置）からの要求に応じて、広告情報管理サーバ２０がカレンダ情報の更新などを行う場合を例に説明する。
【００３６】
カレンダ閲覧／設定処理において、先ず、広告情報管理サーバ２０は、管理者端末Ｘからの該当する広告ＩＤを提示したカレンダ提供要求を受信すると、提示された広告ＩＤが対応付けされているカレンダ情報のうち掲載希望時期情報が示す掲載希望時期を識別可能なカレンダを生成し、生成したカレンダを管理者端末Ｘに提供する（ステップＳ３０１）。
【００３７】
管理者端末Ｘは、カレンダを受信すると、受信したカレンダを自己が備える表示装置に表示する。カレンダは、例えば図８に示すように、掲載希望時期に該当する日付（本例では４月６日〜１０日、１３日〜１７日、２０日，２１日）が異なる色で表示されるなど識別可能となるように表示される。
【００３８】
カレンダ上の日付が選択（例えばマウスクリックによる選択）されると、管理者端末Ｘは、選択された日付を広告情報管理サーバ２０に通知する。
【００３９】
広告情報管理サーバ２０は、管理者端末Ｘからの日付を受け付けると（ステップＳ３０２）、受け付けた日付が過去の日付であれば（ステップＳ３０３のＹ）、提示された広告ＩＤが対応付けされているカレンダ情報における受け付けた日付の掲載履歴情報が表示される掲載履歴閲覧画面を生成し、生成した掲載履歴閲覧画面を管理者端末Ｘに送信する（ステップＳ３０４）。
【００４０】
管理者端末Ｘは、掲載履歴閲覧画面を受信すると、受信した掲載履歴閲覧画面を自己が備える表示装置に表示する。掲載履歴閲覧画面には、例えば図９に示すように、広告ＩＤを表示する表示領域２０１と、掲載対象となる広告のサムネイルを表示する表示領域２０２と、該当する日付を表示する表示領域２０３と、掲載履歴情報が示す掲載ページ、掲載回数、及び選択回数を表示する表示領域２０４とが設けられている。
【００４１】
また、広告情報管理サーバ２０は、ステップＳ３０２にて受け付けた日付が過去の日付でない場合には（ステップＳ３０３のＮ）、提示された広告ＩＤが対応付けされているカレンダ情報における受け付けた日付の掲載ページ情報を確認し、掲載ページが設定済であれば（ステップＳ３０５のＹ）、その設定済の掲載ページが表示される設定情報閲覧画面を生成し、生成した設定情報閲覧画面を管理者端末Ｘに送信する（ステップＳ３０６）。
【００４２】
管理者端末Ｘは、設定情報閲覧画面を受信すると、受信した設定情報閲覧画面を自己が備える表示装置に表示する。設定情報閲覧画面には、例えば図１０に示すように、広告ＩＤを表示する表示領域３０１と、掲載対象となる広告のサムネイルを表示する表示領域３０２と、該当する日付を表示する表示領域３０３と、該当する日付に設定されている掲載上限回数を表示する表示領域３０４と、該当する日付に設定されている掲載ページ（掲載予定ページ）を表示する表示領域３０５とが設けられている。
【００４３】
また、広告情報管理サーバ２０は、ステップＳ３０５にて掲載ページが設定済でなければ（ステップＳ３０５のＮ）、提示された広告ＩＤが対応付けされているカレンダ情報における掲載希望ジャンルをウェブページ管理サーバ１０に送信し、ウェブページ管理サーバ１０にてウェブページ情報（図２参照）を参照して探索された掲載希望ジャンルに合致するジャンルのウェブページを特定可能なページ情報（例えばＵＲＬ）を通信ネットワーク５０を介して取得し、取得したページ情報が示すウェブページを該当する広告を掲載するウェブページの候補である掲載ページ候補に決定する（ステップＳ３０７）。
【００４４】
掲載ページ候補を決定すると、広告情報管理サーバ２０は、決定した掲載ページ候補が選択可能に表示される掲載ページ選択画面を生成し、生成した掲載ページ選択画面を管理者端末Ｘに送信する（ステップＳ３０８）。
【００４５】
管理者端末Ｘは、掲載ページ選択画面を受信すると、受信した掲載ページ選択画面を自己が備える表示装置に表示する。掲載ページ選択画面には、例えば図１１に示すように、広告ＩＤを表示する表示領域４０１と、掲載対象となる広告のサムネイルを表示する表示領域４０２と、該当する日付を表示する表示領域４０３と、決定された掲載ページ候補を表示する表示領域４０４と、決定ボタン４０５とが設けられている。
【００４６】
掲載ページ選択画面において掲載ページ候補が掲載ページとして選択（例えばマウスクリックによるチェックボックスの選択）され、決定ボタン４０５が押下されると、管理者端末Ｘは、選択された掲載ページを広告情報管理サーバ２０に通知する。
【００４７】
広告情報管理サーバ２０は、管理者端末Ｘからの通知を受けて掲載ページの選択を受け付けると（ステップＳ３０９）、提示された広告ＩＤが対応付けされているカレンダ情報における受け付けた日付の掲載ページ情報として、受け付けた掲載ページを設定し、カレンダ情報を更新する（ステップＳ３１０）。
【００４８】
なお、上記の図７に示した例では、広告情報管理サーバ２０が管理者端末Ｘからの要求に応じてカレンダ情報の更新などを行う場合の処理について説明したが、広告情報管理サーバ２０が、広告情報管理サーバ２０のオペレータの操作に応じて上記の各種の処理を行うようにしてもよい。
【００４９】
また、ウェブページ提供サーバ１０と広告情報管理サーバ２０とが１つのサーバ（情報提供サーバ）で構成される場合には、図５及び図７にてそれぞれ示した各処理が情報提供サーバによって実行される。例えば、ステップＳ３０７にて、情報提供サーバは、提示された広告ＩＤが対応付けされているカレンダ情報における掲載希望ジャンルと、ウェブページ情報におけるジャンルとを比較して、掲載希望ジャンルに合致するジャンルのウェブページを該当する広告を掲載するウェブページの候補である掲載ページ候補に決定する処理を行う。
【００５０】
以上に説明したように、上述した一実施の形態では、ユーザが管理するユーザ端末４１からの依頼に応じてウェブページを提供するウェブページ提供サーバ１０と、ウェブページに掲載される広告を示す広告情報を含む広告関連情報を管理する広告情報管理サーバ２０とを備えた情報提供システム１００において、広告情報管理サーバ２０が、ウェブページに掲載される各広告について、日付毎に、掲載の可否と、掲載するウェブページを示す掲載ページを特定可能な掲載ページ情報（例えばＵＲＬ）と、ウェブページへの掲載履歴を示す掲載履歴情報とが対応付けされ、さらに掲載を希望するウェブページのジャンルが対応付けされたカレンダ情報を記憶するカレンダ情報管理ＤＢ２１を備え、ウェブページ提供サーバ１０からの掲載ページ情報を提示した広告情報の取得要求に応じて、カレンダ情報を参照し、提示された掲載ページ情報が対応付けされている広告を探索し、探索した広告の広告情報をウェブページ提供サーバ１０に送信し、広告を一意に特定可能な広告ＩＤを提示したカレンダ提供要求に応じて、カレンダ情報を参照し、提示された広告ＩＤが示す広告について各日付毎の掲載の可否を認識可能なカレンダを作成して提供し、提供したカレンダにおいて選択された日付を受け付けたことに応じて、カレンダ情報を参照し、対応付けされているジャンルが合致するウェブページを探索することで、受け付けた日付に広告を掲載するウェブページの候補を示す掲載ページ候補を決定し、決定した掲載ページ候補の中から、掲載するウェブページの選択を受け付け、選択を受け付けた掲載ページ候補を掲載ページとしてカレンダにおいて選択された日付に対応付けしてカレンダ情報を更新する構成とし、ウェブページ提供サーバ１０が、ウェブページに掲載するウェブページ掲載情報と、そのウェブページのジャンルとが対応付けされたウェブページ情報が記憶されたウェブページ情報管理ＤＢ１１を備え、ユーザ端末４１からのウェブページ提供依頼を受けたことに応じて、広告情報管理サーバ２０から掲載する広告の広告情報を取得し、取得した広告情報を貼り付けたウェブページをユーザ端末４１に提供する構成としているので、各広告にその広告を掲載するウェブページを適切かつ簡単に割り当てることができるようになる。
【００５１】
すなわち、掲載を希望するウェブページのジャンルが対応付けされたカレンダ情報と、ウェブページのジャンルが対応付けされたウェブページ情報とを利用して、希望に合ったジャンルのウェブページを広告の掲載対象とするウェブページの候補とし、候補の中から選択されたウェブページを広告の掲載対象とするウェブページに設定する構成としているので、広告を掲載するウェブページを適切かつ簡単に割り当てることができるようになるのである。
【００５２】
また、上述した実施の形態では、広告情報管理サーバ２０が、ウェブページ提供サーバ１０からカレンダ情報において対応付けされているジャンルのウェブページを特定可能なページ情報（例えばＵＲＬ）を取得することで、ウェブページを探索する構成としているので、広告の掲載対象とするウェブページとして適切なウェブページを特定可能な情報を簡単に探索することが可能となる。
【００５３】
また、上述した実施の形態では、広告情報管理サーバ２０が、提供したカレンダにおいて選択されたことにより受け付けた日付が過去の日付である場合に、カレンダ情報を参照し、受け付けた日付の掲載履歴情報を表示した掲載履歴閲覧画面（例えば図９参照）を生成して提供し、受け付けた日付が過去の日付でないときに限り、掲載ページ候補を決定する構成としているので、希望の日付の掲載履歴情報を容易に閲覧することが可能となる。
【００５４】
また、上述した実施の形態では、広告情報管理サーバ２０が、提供したカレンダにおいて選択されたことにより受け付けた日付が過去の日付でなく、受け付けた日付の掲載ページ情報が設定されていた場合に、設定されている掲載ページ情報を表示した設定情報閲覧画面（例えば図１０参照）を生成して提供し、受け付けた日付が過去の日付でなく、かつ受け付けた日付の掲載ページ情報が設定されていないときに限り、掲載ページ候補を決定する構成としているので、希望の日付の掲載ページの設定内容を容易に閲覧することが可能となる。
【００５５】
なお、上述した実施の形態では特に言及していないが、情報提供システム１００を構成する各サーバ（ウェブページ提供サーバ１０、広告情報管理サーバ２０、情報提供サーバ）は、自己が備える記憶媒体に格納されている処理プログラム（ウェブページ提供プログラム、広告情報管理プログラム、情報提供プログラム）に従って、上述した各種の処理（図５、図７参照）を実行する。
【産業上の利用可能性】
【００５６】
本発明によれば、広告を貼り付けてウェブページを提供するシステムにおいて、各広告にその広告を掲載するウェブページを適切かつ簡単に割り当てるのに有用である。
【符号の説明】
【００５７】
１０          ウェブページ提供サーバ
１１          ウェブページ情報管理ＤＢ
２０          広告情報管理サーバ
２１          カレンダ情報管理ＤＢ
２２          広告管理情報管理ＤＢ
４１〜４Ｎ    ユーザ端末
１００        情報提供システム
【図１】
2010250481.tif 000003
【図２】
2010250481.tif 000004
【図３】
2010250481.tif 000005
【図４】
2010250481.tif 000006
【図５】
2010250481.tif 000007
【図６】
2010250481.tif 000008
【図７】
2010250481.tif 000009
【図８】
2010250481.tif 000010
【図９】
2010250481.tif 000011
【図１０】
2010250481.tif 000012
【図１１】
2010250481.tif 000013